(57)【要約】      （修正有）【課題】液化石油ガス（ＬＰＧとも呼ばれる）を輸送するＬＮＧ運搬船のメンブレン型の密閉断熱タンクにおいて、支持底壁上に水又は他の液体が蓄積することを回避するため、排水システムを提供する。【解決手段】タンクは、支持構造体を画定する支持壁と、支持壁の内面に取り付けられるタンク壁と、を備え、各タンク壁は、密閉メンブレンと、密閉メンブレンと支持壁との間に設けられる断熱バリアと、を備え、支持構造体は、支持底壁２を備え、支持底壁は、支持構造体１の排水を可能にするように、支持底壁を貫通する１つ以上の排水孔１１を有し、支持底壁は、液体の流れを排水孔に導く突出フランジ１０を保持し、突出フランジは、支持底壁の縁部に沿って、支持底壁の縁部からある距離を置いて連続的に支持底壁の実質的に全周に延在し、突出フランジは、支持底壁に取り付けられているタンク壁の断熱バリアによって覆われる。【選択図】図１
2018203220.tif 000002
【特許請求の範囲】
【請求項１】
低温流体の貯蔵又は輸送用の密閉断熱タンクであって、
該タンクは、
支持構造体（１）を画定する支持壁と、前記支持壁の内面に取り付けられるタンク壁と、を備え、
各タンク壁は、密閉メンブレンと、前記密閉メンブレンと前記支持壁との間に設けられる断熱バリアと、を備え、
前記支持構造体は、支持底壁（２）を備え、
前記支持底壁（２）は、前記支持構造体の排水を可能にするように、該支持底壁を貫通する排水孔（１１）を有し、
前記支持底壁は、液体の流れを前記排水孔に導く突出フランジ（１０）を保持し、
前記突出フランジは、前記支持底壁（２）の縁部に沿って、前記支持底壁の縁部からある距離を置いて連続的に前記支持底壁の実質的に全周に延在し、前記突出フランジ（１０）は、前記支持底壁に取り付けられている前記タンク壁の前記断熱バリアによって覆われる、密閉断熱タンク。
【請求項２】
前記突出フランジ（１０）は、前記支持底壁（２）に接着するポリマー樹脂製のビード（４１、３０、２７）を含む、請求項１に記載のタンク。
【請求項３】
前記突出フランジ（１０）は、前記支持底壁（２）に溶接される一連の金属部品（２０）を含む、請求項１又は２に記載のタンク。
【請求項４】
前記支持構造体は、該支持構造体のリッジ（２８、２９）上の前記支持底壁（２）の縁部に垂直又は斜めに接続する、少なくとも１つの支持側壁（４、５、６）を備え、
前記突出フランジは、前記リッジに対して平行に配置される、請求項１〜３のいずれか１項に記載のタンク。
【請求項５】
前記支持底壁に取り付けられている前記タンク壁の前記断熱バリアは、前記支持構造体の前記リッジに沿って設けられる複数の隅部用構造体（２２）を備え、
各隅部用構造体（２２）は、前記支持底壁（２）の境界領域を覆う第１のウイング部と、前記第１のウイング部に対して傾斜しているとともに、前記支持側壁（４、５、６）の境界領域を覆う第２のウイング部と、を備える、請求項４に記載のタンク。
【請求項６】
前記突出フランジは、前記隅部用構造体（２２）の前記第１のウイング部の下に、前記隅部用構造体の前記第１のウイング部の外面に沿って、前記支持構造体の前記リッジ（２８、２９）に対向して配置される、請求項５に記載のタンク。
【請求項７】
前記タンク壁の前記断熱バリアは、前記支持底壁（２）の前記内面を実質的に覆うように、前記支持底壁に取り付けられる複数の平坦な断熱ブロック（２１）をさらに備え、
前記突出フランジ（１０）は、前記隅部用構造体（２２）の前記第１のウイング部と前記平坦な断熱ブロック（２１）との間に配置される、請求項５に記載のタンク。
【請求項８】
前記支持底壁に取り付けられる前記タンク壁の前記断熱バリアは、前記支持構造体の前記リッジにまたがって、前記支持底壁上に支えられる第１の縁部及び前記支持側壁に当接して支えられる第２の縁部を有する剛性プレート（４０）を備え、
前記突出フランジは、前記剛性プレートの前記第１の縁部を接着によって前記支持底壁に取り付けるように、前記剛性プレートの前記第１の縁部と前記支持底壁（２）との間に設けられる重合性樹脂（４１）のビードからなる、請求項４に記載のタンク。
【請求項９】
前記タンク壁の前記断熱バリアは、前記支持底壁及び前記支持側壁の内面を実質的に覆うように、前記支持底壁（２）及び前記支持側壁（４、５、６）に取り付けられる平坦な断熱ブロック（４３）を備え、
前記剛性プレート（４０）は、前記支持底壁に取り付けられる前記平坦な断熱ブロックの列と、前記支持側壁に取り付けられる前記平坦な断熱ブロックの列との間に設けられ、
可撓性断熱材料（４５）が、前記支持底壁に取り付けられる前記平坦な断熱ブロックの前記列と、前記支持側壁に取り付けられる前記平坦な断熱ブロックの前記列との間で前記剛性プレート（４０）に設けられる、請求項８に記載のタンク。
【請求項１０】
前記突出フランジは、前記排水孔（１１）において分断されており、前記液体の流れが前記排水孔の方に通過することを可能にする、請求項１〜９のいずれか１項に記載のタンク。
【請求項１１】
前記支持底壁（２）の縁部は、前記突出フランジ（１０）の外側に位置し、前記排水孔（１１）は、前記突出フランジ（１０）の外側の反対側の内側に位置し、
前記タンク壁の前記断熱バリアは、前記突出フランジの内側において前記支持底壁に取り付けられる平坦な断熱ブロック（４３）を備え、
前記突出フランジ（１０）の断絶部と前記排水孔（１１）との間に位置する平坦な断熱ブロック（５０）は、前記平坦な断熱ブロック（５０）の下面に流路（５１）を確定する凹部を有し、
前記流路は、前記突出フランジに対して横断方向に延在する、請求項１０に記載のタンク。
【請求項１２】
前記排水孔（１１）は、前記突出フランジ（１０）と一列に並んで位置し、
前記突出フランジは、前記排水孔の縁部において分断されている、請求項１０に記載のタンク。
【請求項１３】
前記支持構造体は、船（７０）の船殻であり、前記排水孔は、前記船の後部（５）の方に位置する前記支持底壁（２）の縁部の付近に位置する、請求項１〜１２のいずれか１項に記載のタンク。
【請求項１４】
前記突出フランジ（１０）は、前記支持底壁（２）の縁部からある距離を置いており、
前記距離は、前記支持底壁の前記縁部に対して垂直な方向において前記支持底壁の寸法の１０分の１よりも小さい、請求項１〜１３のいずれか１項に記載のタンク。
【請求項１５】
前記排水孔には、水検知センサーが装備されている、請求項１〜１４のいずれか１項に記載のタンク。
【請求項１６】
低温液体製品の輸送用の船（７０）であって、該船は、船殻（７２）及び請求項１〜１５のいずれか１項に記載のタンクを備え、前記支持構造体は、該船の前記船殻（７２）からなる、船。
【請求項１７】
請求項１６に記載の船（７０）の荷積み及び荷下ろしの方法であって、
低温液体製品は、浮体貯蔵施設又は沿岸貯蔵施設（７７）と前記船の前記タンク（７１）との間で、断熱パイプ（７３、７９、７６、８１）を通して導かれる、方法。
【請求項１８】
低温液体製品の移送システムであって、
該システムは、
請求項１６に記載の船（７０）と、
前記船の船殻に設置された前記タンク（７１）を浮体貯蔵施設又は沿岸貯蔵施設（７７）に接続するように設けられている断熱パイプ（７３、７９、７６、８１）と、
前記浮体貯蔵施設又は前記沿岸貯蔵施設と前記船の前記タンクとの間で、前記断熱パイプを通る低温液体製品の流れをもたらすポンプと、を備える、移送システム。
【発明の詳細な説明】
【技術分野】
【０００１】
本発明は、メンブレンを備える密閉断熱タンクの分野に関する。詳細には、本発明は、例えば−５０℃〜０℃の温度の液化石油ガス（ＬＰＧとも呼ばれる）を輸送する、又は大気圧下でおよそ−１６２℃の液化天然ガス（ＬＮＧ）を輸送するタンク等の、低温流体の貯蔵及び／又は輸送用の密閉断熱タンクの分野に関する。これらのタンクは、陸上又は浮体構造体上に設置することができる。浮体構造体の場合、タンクは、液化ガスの輸送用に意図するか、又は浮体構造体の推進のための燃料として用いる液化天然ガスを収容することを意図することができる。
【背景技術】
【０００２】
メンブレン型の密閉断熱タンクの技術において、支持構造体、例えば船の船殻は、支持壁を提供し、この支持壁の内面は、タンクの密閉断熱壁を形成する多層構造体によって覆われている。この多層構造体は、１つ以上の密閉メンブレンと、支持壁と密閉メンブレン（複数の場合もある）との間に介在する１つ以上の断熱バリアとを備える。
【０００３】
タンクに低温流体が充填される場合、タンク壁を通って漏れる熱により、通常、支持構造体の内面が周囲の大気の温度よりも低い温度になる。湿気の多い周囲空気が支持構造体の内部空間、特に支持構造体とタンク壁との間に入ることが可能な場合、この低温により、支持構造体の内面における結露及び水が流れ落ちる（runoff）現象が促進される。
【０００４】
したがって、支持底壁上に水又は他の液体が蓄積することを回避するため、排水システムを提供することが推奨される。
【０００５】
特許文献１は、支持底壁が排水孔を備えるＬＮＧ用のメンブレンタンクを開示している。
【先行技術文献】
【特許文献】
【０００６】
【特許文献１】韓国特許出願公開第２０１５０１２０７０１号
【発明の概要】
【発明が解決しようとする課題】
【０００７】
本発明が基づく一構想は、支持構造体の内面において流れ落ちる又は流れる液体を排水孔に向けて導くことによって、排水孔の有効性を増すことである。
【課題を解決するための手段】
【０００８】
この目的で、本発明は、低温流体の貯蔵又は輸送用の密閉断熱タンクであって、タンクは、支持構造体を画定する支持壁と、支持壁の内面に取り付けられるタンク壁と、を備え、各タンク壁は、密閉メンブレンと、密閉メンブレンと支持壁との間に設けられる断熱バリアと、を備え、支持構造体は、支持底壁を備え、支持底壁は、支持構造体の排水を可能にするように、支持底壁を貫通する１つ以上の排水孔を有し、支持底壁は、液体の流れを排水孔に導く突出フランジを保持し、突出フランジは、支持底壁の縁部に沿って、支持底壁の縁部からある距離を置いて連続的に支持底壁の実質的に全周に延在し、突出フランジは、支持底壁に取り付けられているタンク壁の断熱バリアによって覆われる、密閉断熱タンクを提供する。
【０００９】
これらの特徴に起因して、突出フランジは、突出フランジと支持底壁の縁部との間に位置する境界領域に、支持構造体の側壁に沿って下方に流れる液体を押し留め、したがって、排水孔に向かうこの液体の流れを促すことができる。
【００１０】
有利な実施形態において、このようなタンクは、以下の特徴のうちの１つ以上を呈することができる。
【００１１】
１つの実施形態において、突出フランジは、排水孔又は各排水孔において分断され、液体の流れが排水孔の方に通過することを可能にする。排水孔（複数の場合もある）における突出フランジの断絶部（複数の場合もある）に起因して、突出フランジの外側に位置する支持底壁の境界領域に流れる液体、例えば結露水と、突出フランジの内側に位置する支持底壁の中央領域内に流れる液体とがいずれも、排水口の位置、すなわち、中央領域にあるか、境界領域にあるか、又は中央領域と境界領域とにまたがるかに関わらず、排水孔に到達することができる。
【００１２】
代替的な一実施形態において、突出フランジは、連続的とすることができ、別々の排水孔を、突出フランジの両側に設けることができる。
【００１３】
１つの実施形態において、突出フランジは、支持底壁の縁部の近くにあり、例えば、支持壁の対応する縁部に対して垂直な方向において支持底壁の寸法の１０分の１よりも小さい距離を支持底壁の縁部から置いている。１つの実施形態において、突出フランジと支持底壁の縁部との間の距離は、１メートル未満である。
【００１４】
これらの特徴に起因して、境界領域は、支持壁の中央領域よりもはるかに小さくなる。したがって、例えば、船の支持側壁の水密性に、例えば衝突又は造船中の溶接不良により問題が生じて海水が浸入した場合、境界領域のサイズが小さいことにより、水が迅速に排水孔に至ることが可能であり、水の存在の検出が容易である。１つの実施形態において、排水孔には、水検知センサー（water presence sensor）が装備されている。
【００１５】
数多くの材料が、突出フランジを製造するのに好適であり得る。１つの実施形態において、突出フランジは、支持底壁に接着するポリマー樹脂製のビードを含む。種々のポリマー樹脂、特にポリウレタン樹脂及びエポキシ樹脂を、この目的で用いることができる。１つの実施形態において、突出フランジは、支持底壁に溶接される一連の金属部品を含む。これらの金属部品は、例えば、端部同士を溶接されるか重なりを有して溶接されて、排水孔（複数の場合もある）を除いて連続的な輪郭を形成するバー又はロッドとすることができる。
【００１６】
金属部品をポリマー樹脂ビードと組み合わせて用いて、突出フランジを形成することもできる。この場合、ポリマー樹脂ビードは、特に、金属部品間にシールされた接合部をもたらすのに用いることができ、溶接によってこれらのシールされた接合部を形成する必要が回避される。
【００１７】
支持構造体は、様々な幾何形状、例えば、好ましくは平坦な支持底壁を有する実質的に球形状又は角柱形状を呈することができる。１つの実施形態において、支持構造体は、支持構造体のリッジ上の支持底壁の縁部に垂直又は斜めに接続する、少なくとも１つの支持側壁を備え、突出フランジは、リッジに対して平行に配置される。リッジを形成する２つの支持壁間の角度は、様々な値、例えば９０度、１３５度又は別の値とすることができる。
【００１８】
１つの実施形態において、タンク壁の断熱バリアは、支持底壁の内面を実質的に覆うように、各支持壁、特に支持底壁に並置される断熱ブロックを用いてモジュール式に製造される。このような断熱ブロックは、特に、隅部用構造体及び／又は平坦な断熱ブロックを含むことができる。このようなモジュール式構築物は、並置される断熱ブロック間に隙間を残すという利点を呈する。液体の流れを促す必要がある領域において、これらの隙間は、例えば、自由空間を残すか又はこれらの隙間に多孔質の断熱材料を用いることにより、流路として構成することができる。
【００１９】
１つの実施形態において、支持底壁に取り付けられているタンク壁の断熱バリアは、支持構造体のリッジに沿って設けられる複数の隅部用構造体を備え、各隅部用構造体は、支持底壁の境界領域を覆う第１のウイング部と、第１のウイング部に対して傾斜しているとともに、支持側壁の境界領域を覆う第２のウイング部と、を備える。２つのウイング部間の傾斜の角度は、通常、リッジを形成する２つの支持壁間の角度に等しい。これらの特徴に起因して、支持構造体のリッジ（複数の場合もある）における断熱バリアの製造は、組立式とすることができる隅部用構造体を用いた単純な方法で実行することができる。
【００２０】
突出フランジは、断熱バリアに対して種々の方法で配置することができる。１つの実施形態において、突出フランジは、隅部用構造体の第１のウイング部の下に、隅部用構造体の第１のウイング部の外面に沿って、支持構造体のリッジに対向して配置される。別の実施形態において、突出フランジは、支持底壁に取り付けられる平坦な断熱ブロックの下に配置される。これらの特徴に起因して、突出フランジは、特にポリマー樹脂からできている場合、流れを導くこと、断熱バリアを支持すること、及び、底壁の内面と、断熱バリアに対する位置決め基準としての役目のある理論上の平坦面との間の差を補償するシムとして機能することを同時に行うことができる。
【００２１】
別の実施形態において、突出フランジは、断熱ブロックの２つの列間、例えば、隅部用構造体の第１のウイング部と平坦な断熱ブロックとの間に配置される。
【００２２】
１つの実施形態において、支持底壁に取り付けられるタンク壁の断熱バリアは、支持構造体のリッジにまたがって、支持底壁上に支えられる第１の縁部及び支持側壁に当接して支えられる第２の縁部を有する剛性プレートを備え、突出フランジは、剛性プレートの第１の縁部を接着によって支持底壁に取り付けるように、剛性プレートの第１の縁部と支持底壁との間に設けられる重合性樹脂のビードからなる。
【００２３】
この場合、重合性樹脂製の不連続な第２のビードを、剛性プレートの第２の縁部を接着によって支持側壁に取り付けるように、剛性プレートの第２の縁部と支持側壁との間に配することが好ましい。
【００２４】
有利には、タンク壁の断熱バリアは、支持底壁及び支持側壁の内面を実質的に覆うように、支持底壁及び支持側壁に取り付けられる平坦な断熱ブロックを備え、剛性プレートは、支持底壁に取り付けられる平坦な断熱ブロックの列と、支持側壁に取り付けられる平坦な断熱ブロックの列との間に設けられ、さらに可撓性断熱材料が、支持底壁に取り付けられる平坦な断熱ブロックの列と、支持側壁に取り付けられる平坦な断熱ブロックの列との間で剛性プレートに設けられる。
【００２５】
排水孔（複数の場合もある）は、支持底壁において、突出フランジに対して種々の方法で配置することができる。１つの実施形態において、排水孔は、突出フランジと一列に並んで位置し、突出フランジは、排水孔の縁部において分断されている。
【００２６】
１つの実施形態において、支持底壁の縁部は、突出フランジの外側に位置し、排水孔は、突出フランジの外側の反対側の内側に位置する。
【００２７】
この場合、タンク壁の断熱バリアは、突出フランジの内側において支持底壁に取り付けられる平坦な断熱ブロックを備え、突出フランジの断絶部と排水孔との間に位置する平坦な断熱ブロックは、平坦な断熱ブロックの下面に流路を確定する凹部を有し、流路は、突出フランジに対して横断方向に延在することが好ましい。
【００２８】
実施形態において、支持底壁は平坦であり、特に船の正面タンクにおいて長方形又は台形の形状を呈する。
【００２９】
上述のタンクは、沿岸設備等の種々のタイプの設備、又はＬＮＧ運搬船若しくは他の船等の浮体構造体において用いることができる。１つの実施形態において、支持構造体は、船の船殻であり、排水孔は、船の後部の方に位置する支持底壁の縁部の付近に位置する。
【００３０】
本発明はまた、低温液体製品の輸送用の船であって、船は、船殻及び上述のタンクを備え、支持構造体は、船の船殻からなる、船を提供する。
【００３１】
本発明はまた、このような船の荷積み及び荷下ろしの方法であって、低温液体製品は、浮体貯蔵施設又は沿岸貯蔵施設と船のタンクとの間で、断熱パイプを通して導かれる、方法を提供する。
【００３２】
本発明はまた、低温液体製品の移送システムであって、システムは、上述の船と、船の船殻に設置されたタンクを浮体貯蔵施設又は沿岸貯蔵施設に接続するように設けられている断熱パイプと、浮体貯蔵施設又は沿岸貯蔵施設と船のタンクとの間で、断熱パイプを通る低温液体製品の流れをもたらすポンプとを備える、移送システムを提供する。
【００３３】
本発明は、単に例示として及び非限定的な方法で、添付図面を参照することで、本発明のいくつかの特定の実施形態の以下の記載の中でよりよく理解され、本発明の他の目的、詳細、特徴及び利点がより明確になる。
【図面の簡単な説明】
【００３４】
【図１】内部に密閉断熱タンクを構築することができる角柱形の支持構造体の斜視図である。
【図２】第１の実施形態に係るタンク壁の図１の線ＩＩ−ＩＩに沿った断面図である。
【図３】第１の実施形態に係るタンク壁の図１の線ＩＩＩ−ＩＩＩに沿った断面図である。
【図４】第２の実施形態に係るタンク壁を示す図２と同様の図である。
【図５】第２の実施形態に係るタンク壁の図１の線Ｖ−Ｖに沿った断面図である。
【図６】第３の実施形態に係るタンク壁を示す、図１の領域ＶＩの拡大斜視図である。
【図７】第３の実施形態に係るタンク壁の図６の線ＶＩＩ−ＶＩＩに沿った断面図である。
【図８】第３の実施形態に係るタンク壁の図６の線ＶＩＩＩ−ＶＩＩＩに沿った断面図である。
【図９】排水孔及び断熱ハウジングの下面に形成される流路を示す、第３の実施形態の変形形態に係るタンク壁の斜視図である。
【図１０】ＬＮＧ運搬船及びこの船の荷積み／荷下ろしターミナルの概略切欠き図である。
【発明を実施するための形態】
【００３５】
図１は、液化ガス輸送船の船殻によって形成することができ、密閉断熱タンクを形成する多層モジュール式カバーを内面に収容するように設計されている概ね角柱形状の支持構造体１の斜視図である。
【００３６】
支持構造体１は、金属製支持壁、すなわちこの例では平坦な底壁２と、底壁２に対して平行である平坦な天井壁３と、船の軸に対して垂直である２つの平坦な横断方向端壁、すなわち横断方向前壁４及び横断方向後壁５と、それぞれ３つの平坦部分、すなわち下側斜面部分６、垂直部分７及び上側斜面部分８によって形成される２つの対向する長手方向壁とを備える。斜面部分は、例えば４５度の角度で船の長手方向軸の周りに傾斜している。支持壁は、図１において、見えているか隠れているかに応じて連続線又は破線として示されているリッジ９において接合されている。
【００３７】
突出フランジ１０は、この場合では長方形である底壁２の内面に形成されている。突出フランジ１０は、底壁２の４つの縁部に沿って、これらの縁部から短い距離を置いて延びており、それにより境界領域１５を画定し、したがって、境界領域１５内に、横断方向端壁又は長手方向壁に沿って流れ落ちる水を押し留めることができる。
【００３８】
突出フランジ１０は、図示の例では、横断方向後壁５の付近に位置する２つの排水孔１１のみにおいて分断されている。換言すれば、突出フランジ１０は、底壁２の前縁部に沿って連続的に延在する直線部１０１と、底壁２の２つの側縁部のそれぞれに沿って連続的に延在し、その前端部が直線部１０１の２つの端部に連続的につながっている２つの直線部１０２及び１０３と、底壁２の後縁部に沿って延在し、その２つの端部が２つの直線部１０２及び１０３の後端部に連続的につながっている直線部１０４とを有する。直線部１０４は、この例では２回分断されている。
【００３９】
図１では、突出フランジ１０の全体形状は、長方形のフレームである。この形状は、特に、底壁２の隅部において丸みを帯びた部分を有するように改変することができる。突出フランジ１０の主な機能は、流れ落ちる水を境界領域１５から排水孔１１に導き、それにより、この流れ落ちる水が底壁２の中央部１４に移動することを防ぐことである。
【００４０】
各排水孔１１は、底壁２の厚さを貫通し、排水された液体を排出システム（図示せず）に向けて運ぶ排水管１２に開口している。突出フランジ１０は、この例では、２つの排水孔１１の縁部において分断されている。したがって、各排水孔１１は、境界領域１５からの液体と、突出フランジ１０の反対側に位置する底壁２の中央領域１４からの液体との双方を回収することができる。
【００４１】
船のタンクの場合、タンクから積荷を下ろした後、後方への勾配を付けて船の船殻を傾斜させるように船のバラストタンクを充填することができ、これにより、突出フランジ１０の全周の底壁の境界領域１５に蓄積した液体が、タンクの後部に位置する排水孔１１に向かって重力によって流れる。
【００４２】
以下、突出フランジ１０のいくつかの実施形態と、タンク壁を形成する多層モジュール式カバーのいくつかの実施形態とを記載する。以下に開示する組合せは限定的なものではなく、突出フランジの各実施形態は、多層モジュール式カバーの種々の実施形態とともに用いることができる。
【００４３】
第１の実施形態が図２及び図３に示されている。突出フランジ１０は、この例では、底壁２に溶接された細長い金属部品２０によって形成されている。金属部品２０は、図２の断面図において見て取ることができる。図３では、金属部品２０は切断されておらず、孔１１の縁部に位置する端面が見えている。
【００４４】
タンク壁は、支持壁に並置される組立式のモジュール式断熱ブロックからなる。これらのモジュール式断熱ブロックは、平坦領域を覆う平坦な断熱ブロック２１と、リッジ領域を覆う隅部用断熱ブロック２２とを含む。断熱ブロック２１又は２２は、それぞれ、補助的な断熱バリア部材２３、補助的な密閉バリア部材２４及び主要な断熱バリア部材２５を組み込んでいる。断熱ブロック２１及び２２は、種々の方法で、接着によって及び／又は機械的な取付け具、例えばボルト及びナットによって、支持構造体に取り付けることができる。
【００４５】
隅部用断熱ブロック２２は、底壁２と隣接する側壁との間の角度に等しい角度、すなわち、図２では底壁２と下側斜面部分６との間のリッジ２９において１３５度、図３では底壁２と横断方向後壁５との間のリッジ２８において９０度で曲がっている２つのウイング部を有する。
【００４６】
突出フランジ１０は、それぞれ、リッジ２８、２９を覆う隅部用断熱ブロック２２の列と、隅部用断熱ブロック２２の列の隣で底壁２に置かれる平坦な断熱ブロック２１の列との間に配置される。したがって、金属部品２０は、底壁２に置かれる隅部用断熱ブロック２２のウイング部の端面に対する位置決め停止部を提供し、隅部用断熱ブロック２２の設置を容易にする。重合性樹脂のビード２７、例えばエポキシパテを、金属部品２０の隅部用断熱ブロック２２の方を向く側に沿って配し、金属部品２０に対して隅部用断熱ブロック２２の位置を正確に調整することができる。重合性樹脂のビード２７は、特に、２つの連続的な金属部品２０がともに溶接されない場合、これらの部品間の接合部もシールすることができる。最後に、図２に見て取ることができるように、重合性樹脂のビード２７は、支持構造体の凹凸を補償するシムとして機能するように、底壁２に置かれる隅部用断熱ブロック２２のウイング部の下にも少なくとも部分的に配することができる。
【００４７】
例えばグラスウール又は他の材料製の断熱ライニング３１が、突出フランジ１０の上の断熱ブロックの２つの列間に配置され、補助的な断熱バリアにおける何もない空間を最小限にする。
【００４８】
主要な密閉メンブレン２６が、断熱ブロック２１及び２２の上面に配置される。主要な密閉メンブレン２６は、様々な方法で製造することができる。密閉メンブレン及び断熱ブロックの実施形態に関する他の詳細は、仏国特許出願公開第２６９１５２０号、米国特許第５５８６５１３号及び同第６０３５７９５号において見ることができる。
【００４９】
以下、図４及び図５に示されている第２の実施形態を記載する。同じ参照符号は、図２及び図３における要素と同様又は同一の要素を指し、再度説明はしない。
【００５０】
第２の実施形態では、突出フランジ１０は、重合性樹脂のビード３０のみによって形成される。
【００５１】
重合性樹脂のビード３０は、底壁２に置かれる隅部用断熱ブロック２２のウイング部の下の、リッジ２８又は２９から離れた壁の端部に配される。ここでもまた、重合性樹脂のビード３０は、流れ落ちる水を押し留めることに加えて、支持構造体の凹凸を補償するシムとして機能することができる。
【００５２】
重合性樹脂のビード３０は、エポキシパテとすることができる。パテは、エポキシ樹脂と、パテを塗布後に硬化させる硬化剤とからなるペースト状材料である。パテは、支持構造体の反対側になるように設計された断熱ブロックの面に塗布される。パテが硬化される前に、断熱ブロックが設置される。パテはこの設置の際に潰される。剛性のシム（図示せず）を支持壁に配置して、パテの最終厚さを制御し、同じ支持壁に配置される断熱ブロックの表面の平坦さを確保することができる。
【００５３】
主要な密閉メンブレンは、図４及び図５では省かれている。密閉メンブレン及び断熱ブロックの実施形態に関する他の詳細は、国際公開第２０１４／１６７２１４号及び同第２０１７／００６０４４号において見ることができる。
【００５４】
以下、図６〜図９を参照して、第３の実施形態を記載する。同じ参照符号は、図１〜図５の要素と同様又は同一の要素を指し、再度説明はしない。
【００５５】
図６は、支持構造体の隅部において接合するリッジ２８及び２９を示している。タンク壁は、各縁部２８、２９に沿って、例えば合板製の一連の剛性プレート４０を備える。剛性プレート４０は、支持構造体のリッジ２８又は２９にまたがり、重合性樹脂のビード４１によって底壁２に接着された第１の縁部と、重合性樹脂のビード４２によって下側斜面部分６又は横断方向壁４若しくは５に対して接着された第２の縁部とを呈する。重合性樹脂のビード４１は、連続的であり、突出フランジ１０を構成する。重合性樹脂のビード４２は、底壁２に水が流れ落ちることを妨げないように不連続になっている。
【００５６】
タンク壁の断熱バリアは、この場合、グラスウール、パーライト又は他の材料等の断熱材料が充填された、例えば木製の断熱ハウジング４３からなる。断熱ハウジング４３は、支持構造体の内面を実質的に覆うように支持壁に並置されている。図７及び図８において、剛性プレート４０は、それぞれ、底壁２に取り付けられた断熱ハウジング４３の列と、横断方向壁４若しくは５又は長手方向壁に取り付けられた断熱ハウジング４３の列との間に設けられている。例えばグラスウール又は別の可撓性断熱材料製の断熱ライニング４５も、断熱ハウジング４３の２つの列間の剛性プレート４０に設けられる。
【００５７】
図９は、排水孔が突出フランジから離れている場合の、底壁２において排水孔１１のところに配置することができる断熱ハウジング５０を示している。ここでは、突出フランジは剛性プレート４０の下の重合性樹脂のビード４１によって形成されている。ここでは、排水孔１１は、底壁２の中央領域１４の方にずらされている。他の断熱ハウジングは、見やすくするためにこの図からは省かれている。
【００５８】
断熱ハウジング５０は、剛性プレート４０と排水孔１１との間に位置し、断熱ハウジング５０の全幅を貫通する長方形部分によって流路５１を画定する下側プレートにおける凹部を有する。流路５１は、重合性樹脂のビード４１に対して横断方向に延在する。重合性樹脂のビード４１は、流路５１の剛性プレート４０の方を向く一端部に断絶部（図示せず）を呈し、境界領域１５からの水又は液体が、流路５１を通って排水孔１１に流れ出ることを可能にする。
【００５９】
また、図６は、既知の技法に従って、密閉メンブレンの接続用のリングを取り付けるために、底壁２及び斜面部分６に溶接されるアンカープレート６０を示している。
【００６０】
剛性プレート４０及び剛性プレート４０の下の重合性樹脂のビード４１は、各アンカープレート６０において分断されているが、重合性樹脂のビード４１は、各アンカープレート６０の２つの面にシール式に接続されている。さらに、リッジ２９において、アンカープレート６０は、液体のための通路を形成する開口６１を呈することを見て取ることができる。
【００６１】
密閉メンブレンは、図７及び図８では省かれている。密閉メンブレン及び断熱ハウジングの実施形態に関する他の詳細は、仏国特許出願公開第２８６７８３１号及び同第２７９８３５８号において見ることができる。
【００６２】
図９に見て取ることができるように、１つの排水孔又は各排水孔１１は、存在し得る固形廃棄物を濾過し、排出システムに入るのを阻止するように、格子５５によって覆われることが好ましい。
【００６３】
図１０を参照すると、ＬＮＧ運搬船７０の切欠き図により、船の二重船殻７２に取り付けられる概ね角柱形状の密閉断熱タンク７１を示している。タンク７１の壁は、タンク内に収容される液化ガスと接触するように設計された主要な密閉バリアと、主要な密閉バリアと船の二重船殻７２との間に取り付けられた補助的な密閉バリアと、主要な密閉バリアと補助的な密閉バリアとの間及び補助的な密閉バリアと二重船殻７２との間にそれぞれ取り付けられた２つの断熱バリアとを備える。簡略化された変形形態において、船は一重船殻を備える。
【００６４】
従来の方法では、船の上甲板に配置された荷積み／荷下ろしパイプ７３は、タンク７１との間で液化ガスの積荷を移送するために、海運ターミナル又はポートターミナルに対して適切なコネクタによって接続することができる。
【００６５】
図１０は、荷積み荷下ろしステーション７５と、海中パイプライン７６と、沿岸設備７７とを備える海運ターミナルの一例を示している。荷積み荷下ろしステーション７５は、可動アーム７４と、可動アーム７４を支持するタワー７８とを備える固定型洋上設備である。可動アーム７４は、荷積み／荷下ろしパイプ７３に接続することができる可撓性断熱パイプ７９の束を保持している。調整可能な可動アーム７４は、全てのＬＮＧ運搬船のサイズに適合する。接続パイプ（図示せず）は、タワー７８の内部に延在する。荷積み荷下ろしステーション７５は、ＬＮＧ運搬船７０の沿岸設備７７との間の荷積み及び荷下ろしを可能にする。この設備は、液化ガス貯蔵タンク８０と、海中パイプライン７６によって荷積み荷下ろしステーション７５に接続される接続パイプ８１とを備える。海中パイプライン７６は、荷積み荷下ろしステーション７５と沿岸設備７７との間の長距離、例えば５ｋｍにわたる液化ガスの移送を可能にし、荷積み及び荷下ろし作業中、ＬＮＧ運搬船７０を沿岸から長距離のところに維持することが可能である。
【００６６】
液化ガスの移送に必要な圧力を生成するために、船７０に積載されているポンプ、及び／又は沿岸設備７７に装備されているポンプ、及び／又は荷積み荷下ろしステーション７５に装備されているポンプが用いられる。
【００６７】
「備える、含む、有する（"contain", "comprise" or "include"）」という動詞及びその活用形の使用は、請求項中に明記されている以外の他の要素又はステップの存在を排除するものではない。或る要素又はステップについて数量を特定しない用語（the indefinite article "a" or "an"）の使用は、別段明記されない限り、複数のそのような要素又はステップの存在を排除するものではない。
【００６８】
特許請求の範囲において、括弧内の参照符号はいずれも請求項を限定するものとして解釈されるものではない。
【図１】
2018203220.tif 000003
【図２】
2018203220.tif 000004
【図３】
2018203220.tif 000005
【図４】
2018203220.tif 000006
【図５】
2018203220.tif 000007
【図６】
2018203220.tif 000008
【図７】
2018203220.tif 000009
【図８】
2018203220.tif 000010
【図９】
2018203220.tif 000011
【図１０】
2018203220.tif 000012
【外国語明細書】
2018203220000001.pdf
2018203220000002.pdf
2018203220000003.pdf
2018203220000004.pdf